(57)【要約】患者に装着しても嵩張らず携帯性に優れる利点を有し、輸送、保管時に包装、梱包された状態で外力によって容易にロック解除しない体液吸引集液器を提供するために、本発明によれば、柔軟な袋と、この袋を支持する２枚の板と、２枚の板の間に挟まれたバネとを有する体液吸引集液器であって、フックおよび解除部を有し且つ２枚の板とは別の部材からなるロックをさらに有しており、このロックによってバネを２枚の板で挟んで圧縮した状態に保持し、且つその保持状態が解除可能である体液吸引集液器が提供される。好ましくは、ロックは可撓性を有しており、一方の板にフックが係止した第１の状態からフックが係止しないような第２の状態まで変形可能に他方の板に保持されており、またロックは第１の状態をとるように付勢されている。
2004047886.tif 000002
【特許請求の範囲】
【請求項１】
柔軟な袋、該袋を支持する２枚の板、および２枚の板の間に挟まれたバネを有する体液吸引集液器において、フック、解除部、および前記２枚の板とは別の部材からなるロックをさらに有しており、該ロックにより前記バネが前記２枚の板の間で圧縮した状態に保持され、且つその保持状態が解除可能なことを特徴とする体液吸引集液器。
【請求項２】
前記ロックは可撓性を有し、前記板の一方に前記フックが係止している第１の状態から前記フックが係止していない第２の状態まで変形可能に前記板の他方に保持されており、前記ロックは第１の状態となるように付勢されている請求項１に記載の体液吸引集液器。
【請求項３】
前記フックは、前記ロックが前記第１の状態から前記第２の状態に変形する間に、前記他方の板の面に対して平行に運動する請求項２に記載の体液吸引集液器。
【請求項４】
前記ロックの解除部の周囲の少なくとも２ヵ所において、該解除部を押す方向と反対の方向に前記板の一部が突き出している請求項１から請求項３までのいずれか１項に記載の体液吸引集液器。
【請求項５】
前記ロックのフックの係合面が、その先端側に、前記一方の板の係合面に向かって突出した部分を有し、前記一方の板の係合面が、その孔側に、前記フックの係合面に向かって突出した部分を有している請求項１から請求項４までのいずれか１項に記載の体液吸引集液器。
【請求項６】
体液吸引集液器の長手方向に一直線に並べて設けた２個以上のバネを有することを特徴とする請求項１から請求項５までのいずれか１項に記載の体液吸引集液器。
【請求項７】
前記袋が、排液口、排液口用蓋、および吊り下げ孔を有しており、前記排液口用蓋が、前記吊り下げ孔に保持されるための保持部を備えている請求項１から請求項６までのいずれか１項に記載の体液吸引集液器。
【請求項８】
体液を取り入れるための集液口を有する柔軟な袋要素と、
前記袋要素内に対向して配置される第１の板および第２の板と、
前記第１の板および前記第２の板の間に配置される弾性部材と、
前記第２の板に取り付けられるロック本体とを有する体液吸引集液器において、
前記ロック本体が、フック部分と、該フック部分を変位させるための操作部分とを有しており、
前記フック部分が前記第１の板のフック係合面に係合して前記第１の板と前記第２の板とを固定するようになっており、それによって前記弾性部材が前記第１の板と前記第２の板の間で圧縮保持され、
前記操作部分が操作されて前記フック部分を前記第２の板の表面と平行に変位させ、それによって前記第１の板と前記第２の板の固定が解除されて前記袋要素内に陰圧を発生させる体液吸引集液器。
【請求項９】
前記ロック本体が弾性変形可能であり且つその一部が前記第２の板に固定されており、したがって前記操作部分は、少なくとも前記フック部分を前記第２の板の表面と平行に変位させるように操作され、該フック部分は、該操作後、元の位置に戻ることを特徴とする請求項８に記載の体液吸引集液器。
【請求項１０】
前記第１の板および前記第２の板の少なくとも１つが切欠部分を有しており、前記操作部分が、体液吸引集液器の輪郭の内側に位置するように、前記切欠部分内に、あるいは前記切欠部分に対応して配置されていることを特徴とする請求項８または請求項９に記載の体液吸引集液器。
【請求項１１】
前記第１の板が、体液吸引集液器の輪郭の一部を形成する第１のシェル部と、該シェル部の前記第２の板に対向する側に設けられるコア部とを有しており、前記第２の板が、体液吸引集液器の輪郭の一部を形成する第２のシェル部を有しており、前記ロック本体の少なくとも一部が、前記第２のシェル部の前記コア部に対向する側に位置付けられており、それによって前記弾性部材が前記コア部と前記ロック本体の少なくとも一部とによって圧縮保持されている請求項８から請求項１０までのいずれか１項に記載の体液吸引集液器。
【請求項１２】
前記コア部および前記ロック本体が、前記第１のシェル部および前記第２のシェル部よりそれぞれ硬質である請求項１１に記載の体液吸引集液器。
【請求項１３】
前記第１の板が、体液吸引集液器の輪郭の一部を形成する第１のシェル部と、該第１のシェル部の前記第２の板に対向する側に設けられる第１のコア部とを有しており、前記第２の板が、体液吸引集液器の輪郭の一部を形成する第２のシェル部と、該第２のシェル部の前記第１の板に対向する側に設けられる第２のコア部とを有しており、前記フック係合面が、前記第２の板と反対側にある前記第１のコア部の表面によって構成され、前記弾性部材が、前記第１のコア部と前記第２のコア部とによって圧縮保持されている請求項８から請求項１０までのいずれか１項に記載の体液吸引集液器。
【請求項１４】
前記第１のコア部および前記第２のコア部が、前記第１のシェル部および前記第２のシェル部よりそれぞれ硬質である請求項１２に記載の体液吸引集液器。
【請求項１５】
前記ロック本体が、少なくとも２つのフック部分を有する請求項８に記載の体液吸引集液器。
【請求項１６】
前記弾性部材がバネである請求項８に記載の体液吸引集液器。
【請求項１７】
前記第１の板および前記第２の板の間で一列に並べられた少なくとも２つのバネを有する請求項１４に記載の体液吸引集液器。
【請求項１８】
前記袋要素が、体液を排出するための排液口、該排液口のための蓋、および吊り下げ孔または保持部取付孔を有しており、前記排液口用蓋が、前記吊り下げ孔または前記保持部取付孔に保持されるための保持部を備えている請求項８に記載の体液吸引集液器。
【発明の詳細な説明】
【技術分野】  本発明は、人体創腔から体液を吸引排出して創腔内組織の密着性を高め、それによって回復を早めるために使用される、携帯可能な体液吸引集液器に関するものである。
【背景技術】  人体創腔から体液を吸引排出するために体液吸引集液器を用いることは、従来からよく知られている。この場合、チューブの一端が体液を排出誘導するために創腔内に挿入され、またチューブの他端が吸引集液器に接続され、それによって吸引集液器内に発生させた陰圧によって創腔内の体液が吸引集液器内に集積、貯留される。
吸引集液器内に陰圧を発生させる機構として、伸縮自在な弾性部材（バネやゴムなど）を内蔵した容器を予め圧縮し、即ち弾性部材を収縮して予め内部容積を収縮し、弾性部材の復元力によって容器内に陰圧を発生させて体液を吸引集液する特開昭５７−８１３４６号公報に記載の機構や、剛性容器の内部に膨張収縮自在な弾性部材（バルーンあるいはダイヤフラム）を配置し、内部送気・排気あるいは他の力学的な手段を用いてこの剛性容器を排気せしめて弾性部材を予め膨張させておき、弾性部材の収縮力によって容器内に陰圧を発生させて体液を吸引集液する、例えば特開昭５０−８４０９０号公報および特開昭６１−１３１７５１号公報に記載の機構などが知られている。
前者の機構は容器自体をつぶした状態から吸引を始めるので、後者の機構に比べて、特に吸引初期では非常にコンパクトであり、患者に装着しても嵩張らずに携帯性に優れる利点がある。また前者の機構は容器をつぶした状態を維持するロック手段を備えており、したがって輸送、保管のコスト低減にも寄与しうる。しかし、特開昭５７−８１３４６号公報に記載の吸引器は、板のヒンジ部を折り曲げることでロック手段を解除するようになされているため、輸送、保管時に、包装、梱包された状態でも外力によって容易にロックが解除されてしまう恐れがあった。また、２枚の板に設けたフックが互いに引っかかるような構造であるため、製造コストおよび省スペースの面で有利ではあるが、繰り返し使用しているとフックがクリープ変形してロックできなくなるという不具合があった。
【発明の開示】
本発明は、従来の体液吸引集液器のこのような欠点を解決するものであり、その目的は、患者に装着しても嵩張らず、携帯性に優れるという利点を有し、且つ輸送、保管の際の包装、梱包された状態で外力によって容易にロック解除されることのない体液吸引集液器を提供することにある。
上記目的を達成するために、本発明の第１の観点によれば、柔軟な袋と、この袋を支持する２枚の板と、２枚の板の間に挟まれたバネと、フック、解除部および２枚の板とは別の部材からなるロックとを有する体液吸引集液器であって、ロックによりバネが２枚の板の間で圧縮した状態に保持されており、またその保持状態が解除可能であることを特徴とする体液吸引集液器が提供される。
上述のロックは可撓性を有していてもよい。ロックは、板の一方にフックが係止している第１の状態から、フックが係止していない第２の状態まで変形可能に板の他方に保持されることができ、このロックは第１の状態となるように付勢されている。
上述のフックは、ロックが第１の状態から第２の状態に変形する間に、他方の板の面に対して平行に運動するようになされることができる。
また上述の各板の一部分は、ロックの解除部の周囲の少なくとも２ヵ所において、この解除部を押す方向と反対の方向に突き出していてもよい。
上述のロックのフックの係合面が、その先端側に、一方の板の係合面に向かって突出した部分を有していてもよく、その一方の板の係合面もまた、孔側に、フックの係合面に向かって突出した部分を有していてもよい。
また、上述のバネは、体液吸引集液器の長手方向に、２個以上一直線に並べて設けられていてもよい。
上述の袋は、排液口、排液口用蓋、および吊り下げ孔を有していてもよく、この排液口用蓋が、吊り下げ孔に保持されるための保持部を備えていてもよい。
また本発明の第２の観点によれば、体液を取り入れるための集液口を有する柔軟な袋要素と、この袋要素内に対向して配置される第１の板および第２の板と、第１の板および第２の板の間に配置される弾性部材と、第２の板に取り付けられるロック本体とを有する体液吸引集液器であって、ロック本体が、フック部分と、このフック部分を変位させるための操作部分（すなわち解除部）とを有しており、フック部分が第１の板のフック係合面に係合して第１の板と第２の板とを固定するようになされ、それによって弾性部材が第１の板と第２の板の間で圧縮保持されており、操作部分が操作されてフック部分を第２の板の表面と平行に変位させ、それによって第１の板と第２の板の固定が解除されて袋要素内に陰圧を発生させる体液吸引集液器が提供される。
上述のロック本体が弾性変形可能であってもよく、またその一部が第２の板に固定されることができ、したがって操作部分は、少なくともフック部分を第２の板の表面と平行に変位させるように操作され、フック部分は、操作後、元の位置に戻るようになされていてもよい。
第１の板および第２の板の少なくとも１つが切欠部分を有していてもよく、したがって操作部分は、体液吸引集液器の輪郭の内側に位置するように、切欠部分内に、あるいは切欠部分に対応して配置されることができる。
第１の板が、体液吸引集液器の輪郭の一部を形成する第１のシェル部と、このシェル部の第２の板に対向する側に設けられるコア部とを有していてもよく、また第２の板が、体液吸引集液器の輪郭の一部を形成する第２のシェル部を有していてもよい。この構成において、ロック本体の少なくとも一部が、第２のシェル部のコア部に対向する側に位置付けられており、それによって弾性部材がコア部とロック本体の少なくとも一部とによって圧縮保持されることができる。
ここで、コア部およびロック本体を、第１のシェル部および第２のシェル部よりそれぞれ硬質とすることができる。
あるいは、第１の板が、体液吸引集液器の輪郭の一部を形成する第１のシェル部と、このシェル部の第２の板に対向する側に設けられる第１のコア部とを有し、第２の板が、体液吸引集液器の輪郭の一部を形成する第２のシェル部と、このシェル部の第１の板に対向する側に設けられる第２のコア部とを有していてもよい。ロック本体は、第２のシェル部または第２のコア部に取り付けられることができ、フック部分が、第２の板と反対側にある第１のコア部の表面すなわちフック係合面に係止して、第１の板と第２の板とをロックする。弾性部材は、その両端を第１のコア部と第２のコア部とによって挟まれて、圧縮状態に保持される。この構成によれば、第１のコア部および第２のコア部を、第１のシェル部および第２のシェル部よりそれぞれ硬質とすることができ、したがって各部分を、各機能に適した材料から構成することができ、これは材料選択の幅を広げることを可能にする。
また上述のロック本体は、少なくとも２つのフック部分を有していてもよく、弾性部材はバネであってもよい。
本発明の体液吸引集液器は、弾性部材として、第１の板および第２の板の間で一列に並べられた少なくとも２つのバネを有していてもよい。
袋要素は、体液を排出するための排液口、排液口のための蓋、および吊り下げ孔を有していてもよく、この排液口用蓋は、吊り下げ孔に保持されるための保持部を備えていてもよい。あるいは袋要素は、吊り下げ孔とは別に、保持部を保持するための保持部取付孔を有していてもよい。
本発明の他の目的、特徴および利点は添付図面に関する以下の本発明の実施例の記載から明らかになるであろう。
以下、図面により本発明を具体的に説明する。
【図面の簡単な説明】  図１は、本発明の第１実施形態の初期状態における外観図であり、
図２は、本発明の第１実施形態の初期状態における中央部の拡大断面図であり、
図３は、本発明の第１実施形態の吸引開始時における外観図であり、
図４は、本発明の第１実施形態の吸引開始時における中央部の拡大断面図であり、
図５は、本発明の第１実施形態の吸引終了時における外観図であり、
図６は、本発明の第１実施形態の吸引終了時における中央部の拡大断面図であり、
図７は、本発明の第１実施形態の初期状態におけるフックと第１の板の一部の拡大断面図であり、
図８は、本発明の第１実施形態の初期状態におけるフックと第１の板の一部の他の例の拡大断面図であり、
図９は、本発明の第１実施形態の初期状態における外観図の側面図であり、
図１０は、本発明の第２実施形態の初期状態における外観図であり、
図１１は、本発明の第２実施形態の初期状態における図１０の線Ｉ−Ｉから見た拡大断面図であり、
図１２は、本発明の第２実施形態の吸引開始時における外観図であり、
図１３は、本発明の第２実施形態の吸引開始時における図１２の線ＩＩ−ＩＩから見た拡大断面図であり、
図１４は、本発明の第２実施形態の吸引終了時における外観図であり、
図１５は、本発明の第２実施形態の吸引終了時における図１４の線ＩＩＩ−ＩＩＩから見た拡大断面図であり、
図１６は、本発明の第３実施形態の初期状態における外観図であり、
図１７は、本発明の第３実施形態の初期状態における中央部の拡大断面図であり、
図１８は、本発明の第３実施形態の吸引開始時における外観図であり、
図１９は、本発明の第３実施形態の吸引開始時における中央部の拡大断面図であり、
図２０は、本発明の第３実施形態の吸引終了時における外観図であり、また
図２１は、本発明の第３実施形態の吸引終了時における中央部の拡大断面図である。
【発明を実施するための最良の形態】  本発明の体液吸引集液器の第１の実施形態によれば、図１に示すように、集液口５が袋１を貫通して取り付けられており、患者に留置したドレナージチューブ（図示せず）がここに接続されるようになっている。集液口５は、袋１に集められた液体が患者の体腔内に逆流しないように、集液口一方弁６を有していることが望ましい。同様に、袋１を貫通して排液口７が設けられており、この排液口７は、吸引集液時にこの排液口７に取り付けられる排液口用蓋８を備えている（図３）。したがって吸引集液が終了すると、排液口７から排液口用蓋８を取り外して体液が排出される。図１および図２から理解されるように、吸引集液前の状態において、袋１の内部には、バネ３と、バネ３を挟んでいる２枚の板（第１の板１１および第２の板１２）と、バネ３を圧縮した状態で２枚の板をロックするロック本体４とが配置されている。尚、図１、図３および図５では、ロック本体４の透視部分には斜めの破線を付して明瞭化しているので留意されたい。好適には、２個以上のバネ３が体液吸引集液器の長手方向に一直線に並べて設けられており、これは同じ吸引容量、吸引圧力を発生させるために、１つのバネ３を用いた場合よりスリムな形状をもたらし、したがって体液吸引集液器を、携帯時にポケット等に入れやすくすることができる。
バネ３は円錐台形であり、且つバネ材料の直径の１〜３倍程度の厚みまでバネの線材の干渉無く折り畳めることのが好ましく、これは保存時の省スペースを実現する。また円錐台形の小径側から大径側へと順に巻ピッチが広がるような形状とすれば荷重−たわみの関係の非線形性が抑えられるので、吸引初期における吸引圧の急激な低下を防ぐのにより好ましい。またバネ３の材質としては錆びが発生し難いステンレス鋼が好ましいが、体に直接触れる部分ではないので、十分な吸引力が確保できる弾性を有する材料であれば、特に限定されることはない。
ロック本体４は、第１の板１１に対向する側の第２の板１２の面上に、その面上の一方向にだけ摺動可能に公知の方法で取り付けられている。すなわち、ロック本体４は、板の面に対して平行に移動できるように、例えば横方向に移動可能であり、上下方向には固定されているといったように、第２の板１２に保持されている。ロック本体４は、上記の横方向、すなわち体液吸引集液器の長手方向に垂直な方向に整列した４つのフック１０を有しており、このフック１０が、第１の板１１の孔２内に形成された上向きの係合面１３（図６および図７）に係止するように第２の板１２の平面に対して垂直に延びており、それによって第１の板１１および第２の板１２をロックしている。
ロック本体４は、フック１０のうちの１つに隣接して設けた解除部（あるいは操作部分）９をさらに有しており、この解除部９をフック１０の整列方向に押し込むことによりロック本体４がスライドされて（図４参照）、第１の板１１と第２の板１２とのロックが解除される。ロックが解除されると、第１の板１１および第２の板１２はバネ３によって押圧されてその間隔を広げようとし、それによって体液吸引集液器の内部に陰圧を発生させる（図３〜図６）。
第１の板１１および第２の板１２は、ロック本体４の解除部９の周囲の少なくとも２ヵ所に、解除部９を押し込む方向と反対方向に突出している部分３１を有していることが好ましい。換言すれば、この突出部分３１は第１の板１１および第２の板１２に切欠部分３２を形成しており、解除部９はこの切欠部分３２に対応して収容されている。この構成により、輸送、保管時に体液吸引集液器が床に落下しても、板の突出した部分３１が先に床にあたるので解除部９に直接荷重が掛からず、したがってロックが意図せず解除されるリスクは大幅に軽減される。
またロック本体４は、図２のようにフック１０が第１の板１１に係止した状態から図４のようにフック１０が第１の板１１に係止していない状態まで変形可能な可撓性（あるいは弾性）を有することが好ましく、一方、バネ３を圧縮状態で第１の板１１と第２の板１２とをロックするだけの強度を有することが必要である。このため、ロック本体４を単一部品として形成する場合には、ロック本体４の材質としてはポリアセタール等の高剛性のエンジニアリングプラスチックを用いるのが好ましい。ロック本体４が弾性を有しているので、フック１０には、解除の際に、第１の板１１に係止する方向に付勢する力（戻す力）が適用されるようになっている。
第１の板１１および第２の板１２はともに板肉薄部１８を有しており（図５および図６）、バネ３の伸長にあわせて板肉薄部１８を支点として曲がるような構造となっている。尚、ロック本体４もまた板肉薄部１８の曲がりに対応して曲がるロック肉薄部１９を有している。このロック肉薄部１９が割れる危険性をより少なくするために、ロック本体４は解除部９をロック本体４の他の部分とは別部品とし、すなわちロック本体４と解除部９を蝶番のように接続してロック肉薄部１９の無い構造にすることがより好ましい。あるいは、ロック肉薄部１９を有する解除部９に、破断伸びが大きく割れ難い材質を用い、この解除部１９を高剛性のエンジニアリングプラスチック製のロック４に嵌め込み等により接続することがより好ましい。
また、図７に示すように、フック１０の係合面３３と第１の板１１の係合面１３は平行に接していてもよいが、図８に示すように、係合面１３および３３のそれぞれの先端部２０および１４に突起部を設けている方が輸送、保管時のロック本体４解除のリスクが軽減される。
図１および図９に示すように、排液口用蓋８に近接して保持部１６を設け、袋１の吊り下げ孔１５に保持部１６を引っ掛けて固定することができ、これは排液時に排液口用蓋８が邪魔にならないため、より好ましい。あるいは図１６に示すように、袋１は、吊り下げ孔１５の他に、保持部１６を固定するための保持部取付孔４０を有していてもよい。
第１の板１１および第２の板１２は、それらの長手方向端部において、板接続部材１７によって互いに枢動可能に連結されていてもよい。
本発明の体液吸引集液器の使用方法としては、まず排液口用蓋８を用いて排液口７を閉じ、患者に留置したドレナージチューブを集液口５に接続する。次に図３および図４に示すように、ロック本体４の解除部９を吸引集液器の中心に向かって押し込み、フック１０の第１の板１１への係止を解除する。この段階で、バネ３の復元力により第１の板１１および第２の板１２には互いに離れようとする力が働き、袋１の内部に陰圧が生じる。この陰圧によって患者の体腔より吸引集液を行う。吸引集液終了後は排液口用蓋８を開け、袋１内に貯留された排液を捨てる。尚、ロック本体４は可撓性を有し、したがって第１の板１１に係止する方向（図面右向き）にフックが付勢されているので、第１の板１１と第２の板１２を押さえつけてバネ３を圧縮し、再び図１のような初期状態とし、再吸引することも可能である。
第１の板１１および第２の板１２に求められる性質として、圧縮されたバネ３の応力に対して長期間にわたって十分に抗するだけの剛性（高弾性率、耐クリープ性）を有すること、および内容物の性状や量を確認するために半透明もしくは透明であることが挙げられ、さらに板薄肉部１８が割れ難いこと（破断伸びが大）が重要である。これらの要求される物性から、第１の板１１および第２の板１２をそれぞれ単一部品として構成する場合の材料としては、高分子量のポリプロピレンが最も好ましい。
図１０〜図１５には、本発明の体液吸引集液器の第２の実施形態が示されている。この第２の実施形態は、第１の板１１および第２の板１２が、比較的軟質で破断伸びが大きい材料から作られたシェル部をそれぞれ有している点で、第１の実施形態とは異なっている。尚、図１０〜図１５において、第１の実施形態と同様の部品には同様の参照番号が付されている。
図１１から理解されるように、第２の実施形態において、第１の板は、体液吸引集液器の外形を保持するように機能するシェル部分４１と、このシェル部分４１の内側に固定されてバネ３の応力を直接受けるように機能するコア部分４２とから構成されている。シェル部分４１はまた板肉薄部１８を備えている（図１５）。ロック本体４のフック１０は、コア部分４２の上面に係止されて第１の実施形態と同様に第１の板と第２の板とをロックする。このように機能毎に異なる部品とすることで、各部分を、各機能に適した材料から構成することができ、これは材料選択の幅を広げることを可能にする。
一方、第２の板１２は、体液吸引集液器の外形を保持するように機能するシェル部分４３のみから構成されており、このシェル部分４３に取り付けられたロック本体４が、バネ３を直接的に支持するようになっている。第２の実施形態におけるロック本体４は、第１の実施形態におけるロック本体４と比較して、より広い範囲に亘って第２の板の上で広がっている。このためフック１０は体液吸引集液器の中央部分に設けられる必要はなく、図１１に示すように、それぞれのバネ３の周囲に２つ設けることができる。ロック本体４がバネ３を支持するこの構造は、部品点数をより少なくでき、コストを抑えられる点で有利である。したがってバネ３は、コア部分４２とロック本体４とによって圧縮状態で保持されている。
第１の実施形態における第１の板１１および第２の板１２に使用したような高弾性率と耐クリープ性を具備するエンジニアリングプラスチックは、通常結晶性プラスチックもしくは繊維強化プラスチックであり、これらは不透明で破断伸びが小さい。しかしながら透明で破断伸びが大きい非晶性プラスチックは剛性が小さいのが普通であり、したがってコア部分４２の材料としては、高弾性で耐クリープ性を具備するポリアセタール、フィラー強化プラスチック、繊維強化プラスチック等のエンジニアリングプラスチックもしくはアルミニウム、ステンレス鋼等の金属を用いることが好ましく、また板薄肉部１８を備えたシェル部分４１の材料としては、透明性を有し、破断伸びが大きいポリエチレン、ポリプロピレン等のプラスチックを用いることが好ましい。
図１６〜図２１には、本発明の体液吸引集液器の第３の実施形態が示されている。この第３の実施形態は、第１の板１１および第２の板１２が、比較的軟質で破断伸びが大きい材料から作られたシェル部４１および４３と、このシェル部分の内面に固定されてバネ３の応力を直接受ける硬質のコア部分４２および４４とからそれぞれ構成されている点で、第１の実施形態とは異なっている。尚、図１６〜図２１において、第１および第２の実施形態と同様の部品には同様の参照番号が付されている。
図１７に示すように、第１の板は、体液吸引集液器の外形を保持するように機能するシェル部分４１と、バネ３の応力を直接受けるように機能するコア部分４２とから構成され、このコア部分４２の上面にロック本体４のフック１０が係止するようになっている。この第３の実施形態では、第２の板もまた、体液吸引集液器の外形を保持するように機能するシェル部分４３と、バネ３の応力を直接受けるように機能するコア部分４４とから構成されている。換言すれば、第３の実施形態では、図２に示す第１の実施形態における第１の板１１が、シェル部分４１とコア部分４２とから構成されており、第１の実施形態における第２の板１２が、シェル部分４３とコア部分４４とから構成されている。
このように第１の板および第２の板を機能毎に完全に異なる部品から構成することで、各部分を、各機能に適した材料から構成することができ、これは材料選択の幅を広げることを可能にする。すなわち、この第３の実施形態では、バネ３が、コア部分４２とコア部分４４とによって支持されているので、コア部分４２および４３のみを硬質な材料から構成することができる。
したがって第２の実施形態と同様に、コア部分４２および４４の材料としては、高弾性で耐クリープ性を具備するポリアセタール、フィラー強化プラスチック、繊維強化プラスチック等のエンジニアリングプラスチックもしくはアルミニウム、ステンレス鋼等の金属を用いることが好ましく、シェル部分４１および４３の材料としては、透明性を有し、破断伸びが大きいポリエチレン、ポリプロピレン等のプラスチックを用いることが好ましい。
この第３の実施形態では、コア部分４２および４３がバネ３を支持しているので、第２の実施形態のように板の表面に垂直な方向の加重がバネ３からロック本体４に対して直接作用することがなく、したがって第２の板の上におけるロック本体４のスライドをよりスムースにすることができる。
上記記載は実施例についてなされたが、本発明はそれに限らず、本発明の精神と添付の請求の範囲の範囲内で種々の変更および修正をすることができることは当業者に明らかである。
【図１】
2004047886.tif 000003
【図２】
2004047886.tif 000004
【図３】
2004047886.tif 000005
【図４】
2004047886.tif 000006
【図５】
2004047886.tif 000007
【図６】
2004047886.tif 000008
【図７】
2004047886.tif 000009
【図８】
2004047886.tif 000010
【図９】
2004047886.tif 000011
【図１０】
2004047886.tif 000012
【図１１】
2004047886.tif 000013
【図１２】
2004047886.tif 000014
【図１３】
2004047886.tif 000015
【図１４】
2004047886.tif 000016
【図１５】
2004047886.tif 000017
【図１６】
2004047886.tif 000018
【図１７】
2004047886.tif 000019
【図１８】
2004047886.tif 000020
【図１９】
2004047886.tif 000021
【図２０】
2004047886.tif 000022
【図２１】
2004047886.tif 000023
【国際調査報告】
2004047886.tif 000024
2004047886.tif 000025